【事件の表示】
　特許第３２００７９８号「パチンコ機」の請求項１に係る特許に対する特許異議の申立てについて、次のとおり決定する。
【結　論】
　特許第３２００７９８号の請求項１に係る特許を取り消す。
【理　由】
第一．手続の経緯
　 本件特許第３２００７９８号の請求項１に係る発明は、平成３年６月１４日に特許出願された特願平３−１６８９８１号を分割して平成１０年６月１５日に新たな特許出願としたものであって、平成１３年６月２２日にその特許権の設定登録がなされ、その後、細江裕実より特許異議申立がなされ、取消しの理由が通知され、その指定期間内である、平成１４年９月２４日に訂正請求がなされ、当該訂正請求に対して訂正拒絶理由が通知され、その指定期間内である平成１５年１０月１０日に手続補正がなされたものである。
　　
第二．訂正の適否
　［１］．当審で通知した訂正拒絶理由の概要
　　＜１＞．訂正事項認定の概要
　　　訂正事項ａ
　　　特許請求の範囲の請求項１の記載について、（ア）「遊技盤を分離可能にしたパチンコ機において、」とあるのを、「前記
前枠に対して
と
による賞球の払出
の間で賞球個数を決定するために信号の交信を行い
　全体を
「外枠に前枠を蝶着すると共に、該前枠の裏面側に賞球払出装置を設け、前記
前枠に対して
　前記遊技盤に設けられた入賞口への入賞検出に基づいて、枠制御基板に賞球数信号を送信する遊技盤制御基板
と
による賞球の払出
の間で賞球個数を決定するために信号の交信を行い
　前記枠制御基板には、前記遊技盤制御基板からの賞球数信号と前記賞球計数検出スイッチのカウント数が一致しないエラー状態、または前記遊技盤制御基板との接続がされていないエラー状態を表示するＬＥＤ表示部を設けたことを特徴とするパチンコ機。」
　と訂正する。
　　　訂正事項ｂ
    　明細書の段落【０００５】に記載されている、（ア）「遊技盤を分離可能にしたパチンコ機において、」とあるのを「前記前枠に対して遊技盤を分離可能にしたパチンコ機において、」に、（イ）「前記遊技盤に設けられた入賞口への入賞検出に基づいて、枠制御基板に賞球数信号を送信する遊技盤制御基板、及び前記賞球数信号に基づいて前記賞球払出装置の制御を行う枠制御基板と、」とあるのを「前記遊技盤に設けられた入賞口への入賞検出に基づいて、枠制御基板に賞球数信号を送信する遊技盤制御基板
と
による賞球の払出
の間で賞球個数を決定するために信号の交信を行い
　　　訂正事項ｃ
    　明細書の段落【００９８】に記載されている、（ア）「遊技盤を分離可能にしたパチンコ機において、」とあるのを「前記前枠に対して遊技盤を分離可能にしたパチンコ機において、」に、（イ）「前記遊技盤に設けられた入賞口への入賞検出に基づいて、枠制御基板に賞球数信号を送信する遊技盤制御基板、及び前記賞球数信号に基づいて前記賞球払出装置の制御を行う枠制御基板と、」とあるのを「前記遊技盤に設けられた入賞口への入賞検出に基づいて、枠制御基板に賞球数信号を送信する遊技盤制御基板
と
による賞球の払出
の間で賞球個数を決定するために信号の交信を行い、
　（猶、下線は訂正個所を示す。）
　　
　　＜２＞．訂正の適否判断の概要
　　　（Ａ）．訂正事項ａ（イ）、訂正事項ｂ（イ）、訂正事項ｃ（イ）に記載された「賞球個数を決定するために信号の交信を行」う点について、
　　　　(i)．賞球個数の決定、交信、遊技制御基板、枠制御基板、賞球数信号の関係について、段落【００８０】に次のように記載されている。
　「そして、遊技者が発射した打球が入賞口へ入賞した場合には、この入賞球球は遊技盤（１５）の背面側に取り込まれて球寄せ通路を通って入賞球処理装置（４９）へ導かれる。入賞球処理装置（４９）において、入賞球検出スイッチＳＷ３が入賞球を検出してオンすると、賞球表示灯Ｌ１が点灯し、入賞球ソレノイドＳＯＬ２を突方向へ５０ms駆動する。この時、入賞球は入賞球検出スイッチＳＷ３の位置から賞球確認スイッチＳＷ４の位置に移動する。また、枠制御回路は、上記と同時に遊技盤制御回路に対して入賞球の存在を知らせるＩＮＱ信号（賞球問い合わせ信号、入賞球を感知した場合に枠制御回路から遊技盤制御回路に対して出力され、遊技盤制御回路に賞球個数信号であるＳＰＵＬＳＥ信号の送出を促す）を送信する。一方遊技盤制御回路は、ＲＥＡＤＹ信号（待機信号）と、当該ＲＥＡＤＹ信号と同期してＳＰＵＬＳＥ信号（賞球数信号）を返送する。そして、枠制御回路は上記ＳＰＵＬＳＥ信号に基づいて賞球個数を決定し、この賞球個数をＬＥＤ表示部（９０）に表示する（ＪＯＢ　Ａ）。尚、上記各信号は本体端子板（３８）及び中継端子板（３９）並びに役物中継端子板（１４２）を経由して枠制御回路と遊技盤制御回路との間で交信される。」
　　　　(ii)．当該【００８０】の記載から、以下のことが明らかである。
　打球が入賞口へ入賞すると、枠制御回路が遊技盤制御回路に対して、入賞球の存在を知らせるＩＮＱ信号（賞球問い合わせ信号、入賞球を感知した場合に枠制御回路から遊技盤制御回路に対して出力され、遊技盤制御回路に賞球個数信号であるＳＰＵＬＳＥ信号の送出を促す）を送信し、遊技盤制御回路は、ＳＰＵＬＳＥ信号（賞球数信号）を返送するので、枠制御回路は上記ＳＰＵＬＳＥ信号に基づいて賞球個数を決定すること。
　してみると、枠制御回路において「賞球個数を決定すること」は、「ＳＰＵＬＳＥ信号に基づ」くものであり、「遊技盤制御回路と、枠制御回路との間」であることは記載されていない。
　　　　(iii)．一方、「決定」とは「はっきりときめること。はっきりきまること、また、そのきまった事柄。」で、「きめる」とは、「動きや変化のあったものを一つにする。定める。決定する。確定する。決着させる。」ことであり、さらに「交信」とは、「無電などで、通信をとりかわすこと。」で、「とりかわす」とは、「互いにやりとりする。」（以上「広辞苑」参照）ことであるから、「枠制御基板に賞球数信号を送信する遊技盤制御基板と、前記賞球数信号に基づいて前記賞球払出装置による賞球の払出制御を行う遊技盤制御基板と、枠制御基板との間で賞球個数を決定するために信号の交信を行」うことは、「遊技盤制御基板と、枠制御基板との間で賞球個数を無電などで通信を互いにやりとりしてはっきりと確定する」となる。
　しかしながら、本件発明に記載された実施例は、遊技盤制御回路から、はっきり確定された賞球個数信号が枠制御回路に出力される例のみであり、遊技盤制御基板と、枠制御基板との間で通信を互いにやりとりして賞球個数を確定することは記載されておらず、当該事項が出願時の技術常識であるとも認められない。
　　　　(iv)．したがって、上記訂正事項ａ（イ）を含む訂正は、願書に添付した明細書又は図面の範囲内においてした訂正とは認められない。  　　
　　　
　　　
　［２］．平成１５年１０月１０日付手続補正の概要
　　（１）．特許請求の範囲の減縮を目的として、請求項１を「外枠に前枠を蝶着すると共に、該前枠の裏面側に賞球払出装置を設け、前記前枠に対して遊技盤を分離可能にしたパチンコ機において、
　前記遊技盤に設けられた入賞口への入賞検出に基づいて、枠制御基板に賞球数信号を送信する遊技盤制御基板と、
遊技盤制御基板へ賞球問い合わせ信号を送信して遊技制御基板から返信される
　前記賞球払出装置から払い出される賞球を計数する賞球計数検出スイッチと、を設け、
　前記枠制御基板には、前記遊技盤制御基板からの賞球数信号と前記賞球計数検出スイッチのカウント数が一致しないエラー状態、または前記遊技盤制御基板との接続がされていないエラー状態を表示するＬＥＤ表示部を設けたことを特徴とするパチンコ機。」と補正するものである。
（猶、下線は加入された補正箇所を示す。）
　要するに、
　前記訂正事項ａ（イ）における、賞球個数を決定するために信号の交信を行なう旨の記載を削除し、賞球数信号の性格を特定する、遊技盤制御基板へ賞球問い合わせ信号を送信して遊技制御基板から返信される旨の記載を新たに追加したものである。
　してみると、当該補正は訂正請求書に係る訂正を求める範囲を変更するもの（東京高裁平成１１年６月３日判決、平成８年（行ヶ）２２２号参照）である。
　　（２）．訂正事項ｂ（イ）、訂正事項ｃ（イ）に関する補正も前記「（１）」と同様の補正であるから、当該補正は訂正請求書に係る訂正を求める範囲を変更するものである。
　　
　［３］．まとめ
　　以上のように、平成１５年１０月１０日付手続補正は認められないものであるから訂正拒絶理由のとおり、平成１４年９月２４日付訂正は、特許法第１２０条の４第３項において準用する平成６年法律第１１６号による改正前の特許法第１２６条第１項ただし書きの規定に適合しないので、当該訂正は認められない。
　　　　
　　　
第三．特許異議申立についての判断
　［１］．本件特許の請求項１に係る発明
　　前記「第二」に示したように、平成１４年９月２４日付訂正は認められないものであるから、本件特許の請求項１に係る発明（以下「本件発明」という）は、特許公報の特許請求の範囲に記載された以下のとおりのものである。
　「外枠に前枠を蝶着すると共に、該前枠の裏面側に賞球払出装置を設け、遊技盤を分離可能にしたパチンコ機において、
　前記遊技盤に設けられた入賞口への入賞検出に基づいて、枠制御基板に賞球数信号を送信する遊技盤制御基板、及び前記賞球数信号に基づいて前記賞球払出装置の制御を行なう枠制御基板と、前記賞球払出装置から払い出される賞球を計数する賞球計数検出スイッチを設け、
　前記枠制御基板には、前記遊技盤制御基板からの賞球数信号と前記賞球計数検出スイッチのカウント数が一致しないエラー状態、または前記遊技盤制御基板との接続がされていないエラー状態を表示するＬＥＤ表示部を設けたことを特徴とするパチンコ機。」
　　
　［２］．第２９条第２項の検討
　　＜１＞当審で通知した取消理由において引用した、特開平２−２０３８８３号公報、特開平３−７７５７２号公報、特開昭６３−１９７４７３号公報、特開昭５８−２０３７８４号公報、特開昭５８−２０３７８５号公報、特開平２−２８０７８５号公報、実願昭６１−６２８８８（実開昭６２−１７４５７５号）のマイクロフィルムには、各々以下の事項が記載されている。
　　　（Ａ）．特開平２−２０３８８３号公報（以下、「刊行物Ａ」という。異議申立人　細江裕実提出の甲第１号証）記載事項
　　　　（Ａ−１）．「上記構成の遊技盤１００を保持するパチンコ遊技盤の保持枠１１３の上部には、球発射装置１０２の操作ダイヤル１０１を操作したときに点灯されるパイロットランプ１２５および遊技客による不正がなされたり、特別遊技が発生したときなどに点灯される装飾表示ランプ兼エラー表示ランプとしての表示器１２６が設けられている。また、保持枠１１３の下部に取付られた開閉パネル１１４には、打球発射供給装置１０２に供給される打球を貯留する供給皿１１５が取り付けられ、その下方には供給皿１１５から溢れた賞品球を貯留するための受皿１１６が設けられている。」（第３頁右上欄第５〜１７行）
　　　（Ａ−２）．「第5図には第1図に示したパチンコ遊技機の裏機構の構成例を示す。裏機構盤200の上部には賞品球としての予備球の貯留タンク201が配設され、この貯留タンク201の一端には内部の予備球を自作用的に整列させて誘導する案内樋202が接続されている。案内樋202は2条の通路を有して緩やかに傾斜され、途中に振り子式の球ならし203と押圧式の球ならし215とが設けられており、それによって、予備球は案内樋202を流下する間に2列に整列される。そして、上記案内樋202の流下端部に、下部に
裏
　　　（Ａ−３）．「また、裏機構盤２００には、上記賞品球排出装置２２０やオーバーフロー検出器２ ５ ５からの検出信号により打球発射の停止、各種表示装置の駆動などパチンコ遊技機全体の電気的な制御を行なうための裏メカ制御装置３００が前記賞品球排出装置２２０と一体的に配置され、遊技盤１００前面の特定入賞口１０８、１０ ９や変動入賞装置５０の特別入賞口５４等に内蔵された検出器からの検出信号に基づいてそれらの遊技動作を制御する遊技内容（役物）制御装置６ ００が設置されている。」（第６頁左上欄第１６行〜右上欄第６行）
　　　（Ａ−４）．「また、遊技中（通常遊技、特別遊技共）、変動入賞装置５０の一般入賞口５５中に入賞した遊技球はセーフセンサ１（１２９）に検出されその検出信号が中央処理装置６００Ａに入力されてカウントされた後、そのカウント数がＲＡＭ６０２中に記憶される。その記憶があるときにはＲＯＭ６０１中の固定データとしての賞球数設定手段により多い排出数（例えば、１３個）にセットされる。それがラッチ回路６５１にラッチされ、賞球数出力手段としての賞球数出力器６６３により裏メカ制御装置３００に出力されて、賞品球排出装置２２０による通常数の排出が行われる。
　それ以外の入賞部５６，１０８，１０９，１２０，１２１（変動入賞装置５０の入賞空間５１中以外の入賞部）に入賞したときには賞球数設定器により少ない排出数（例えば、７個）にセットされて賞品球排出装置２２０による少数の排出が行われる。」（第１１頁右上欄第６行〜左下欄第３行）
　　　（Ａ−５）．「セーフセンサ１（１２９）からの検出信号に基づく賞球排出が行われる場合は、賞球数出力器６６３を介して多い排出個数（例えば、１３個）の賞球出力信号が入力処理部３１０およびインバータ３ １ １を介して中央処理装置３００Ａに人力されて読み取られる。そして、中央処理装置３００Ａからの賞球排出指令信号がドライバ３２０に送られ、ノイズカット用ダイオード３２１およびツェナーダイオード３２２を介して排出ソレノイド２２１が作動されて通常個数の賞球排出が行われる。一方、役物制御回路（第１０図）のセーフセンサ１（１２９）の検出信号に基づかない賞球排出の場合は、賞球数出力器６６３を介してより少ない排出個数（例えば、１０個）の賞球出力信号が入力処理部３１０およびインバータ３１１を介して中央処理装置３００Ａに入力される。そして、中央処理装置３００Ａからの賞球排出指令信号がドライバ３２０に送られ、ノイズカット用ダイオード３２１およびツェナーダイオード３２２を介して排出ソレノイド２２１が作動されて少数の賞球排出が行われる。それら排出時には、それら排出が排出センサ１，２（２２５，２２５）により検出されていて、多い個数の排出時にはその排出個数が多い排出の個数（例えば、１３個）に達した時点で、また、少ない個数の排出時にはその排出個数が少ない排出の個数（例えば、１０個）に達した時点で、排出ソレノイド１，２（２２１，２２１）が停止（消磁）されて排出が終了する。」（第１３頁左上欄第１行〜右上欄第９行）
　　　（Ａ−６）．「第１７図には、第１６図のルーチンＲ１４におけるエラー処理の詳しい制御処理手順を示す。エラー処理は役物（変動入賞装置５０）やセーフセンサ１、２にエラーがあるときに、エラー表示ランプ（表示器１２６）をオンして役物動作を禁止する処理である。」（第１５頁左上欄第３〜８行）
　　　（Ａ−７）．「第２２図には、第２１図のルーチンＲ２０２において処理ナンバ〈ＮＯ〉が“１”となっていると判定したときに行われるチェック処理の詳しい制御手順を示す。チェック処理は電源投入時に各部のチェックを行い、エラーがある場合にはエラー表示をし、全て正常になってから通常処理に移る処理である。」（第１８頁左下欄第９〜１５行）
　　　（Ａ−８）．してみると、刊行物Ａには以下の発明（以下、「引用発明」という）が記載されている。
　すなわち、
遊技盤を着脱可能に保持する保持枠の裏面側に、賞球払出装置が設けられたパチンコ機において、
　前記遊技盤に設けられた入賞口への入賞がセーフセンサに検出され、その検出信号は役物制御装置の中央処理装置を介して賞球数出力器から裏メカ制御装置に出力され、裏メカ制御装置においては、賞球出力信号が入力された中央処理装置は賞球排出指令信号をドライバに送って賞球の排出を行い、排出センサが所定の排出個数に達したことを検出した時点で排出ソレノイドを停止して排出を終了すること、さらに、センサや役物等にエラー、がある場合及び、電源投入時のチエックによるエラーを発見した場合にエラー状態を表示をする表示部を設けたことを特徴とするパチンコ機。
　　　
　　（Ｂ）．特開平３−７７５７２号公報（以下、「刊行物Ｂ」という。異議申立人　細江裕実提出の甲第２号証）
　　　（Ｂ−１）．「前記景品球放出装置２５の下方部には、景品球放出検出手段としての景品球検出器３０が設けられる。この景品球検出器３０は．景品球通路２５１．２５１から所定数の景品球が放出されたことを検出して景品球検出信号を発信するものである。またパチンコ機１の裏面には、入賞球検出信号により「十１」づつ加算してその値を表示する第１カウンタ３１と、景品球放出検出信号により「十１」づつ加算してその値を表示する第二カウン夕３２及び全体の動作を制御する機能を有するマイクロコンピュータ３３が設けられる。
このマイクロコンピュータ３３には、入賞球検出スイッチ２８４がＯＮするごとに発生する入賞球検出信号が与えられる。また景品球検出器３０がＯＮするごとに発生する景品球放出検出信号が与えられる。一方、マイクロコンピュータ３３からは景品球放出装置２５のモーター２５２に回転駆動信号を与える。また第一、第二カウンタ３１，３２にそれぞれ加算信号を与える。尚、第ー、第二カウンタ３１，３２は、パチンコ機１の電源回路と独立したバッテリー電源により作動するようになっている。
次に、本実施例の動作を説明する。 遊技盤１４の遊技部に打ち込まれた球が入賞口１６又は変動入賞装置１７等の入賞領域に入って入賞検出スイッチ２８４で検出されると、マイクロコンピュータ３３はその検出信号に基づいて第一カウンタ３１に「十１」を加算してその値を表示すると同時に景品球放出装置２５に同転駆動信号を与え、モーター２５２を，駆動して所定数の景品球を景品球排出通路２７へ放出する。一方、所定数の景品球が放出されるとその放出された景品球を景品球検出器３０が検出してその検出信号をマイクロコンピュータ３３に与え、マイクロコンピュータ３３はその検出信号に基づいて第二カウンタ３２に「＋１」を加算してその値を表示するものである。
　従って、第ーカウンタ３１及び第二カウンタ３２に表示されている値がそれぞれー致していれば入賞球に対して景品球の放出動作が正しく行われているという証拠になるため、遊技者とのトラブルを未然に防止することができる。」（第３頁右上欄第１７行〜右下欄第１６行）
　　
　　（Ｃ）．特開昭６３−１９７４７３号公報（以下、「刊行物Ｃ」という。異議申立人　細江裕実提出の甲第３号証）
　　　（Ｃ−１）．「異常発生時に、ディジタル表示器２２（第１図参照）に異常が発生したことを表す”Ｅ”（”ｅｒｒｏｒ”の略）を表示して異常を知らせるとともに、ディジタル表示器２０に、異常の原因に応じて、次のような３種の表示のうちいずれかを
表示
まず、入賞玉検出器３６自体の故障、たとえば検出器自体のショートや断線等の場合は”Ｆ”、開閉板１８が開成後に一定時間（たとえば３０秒間）内に入賞玉検出器３６の信号がない場合（このような場合は、入賞玉検出器３６が取り外されているようなことが考えられる）は”Ｕ”、さらに、特賞玉検出器３８がパチンコ玉を検出後、たとえば２．５秒以上経っても入賞玉検出器３６の出力がない場合は”Ｌ”が表示されるようになっている。」（第４頁左上欄第１５行〜右上欄第１１行）
　　
　　（Ｄ）．特開昭５８−２０３７８４号公報（以下、「刊行物Ｄ」という。異議申立人　細江裕実提出の甲第４号証）
　　　（Ｄ−１）．「パチンコ遊技台２０の上部には異常表示装置を兼ねた賞球表示装置３４と打止表示装置３５が設けられている。」（第２頁右上欄第５行〜第７行）
　　　（Ｄ−２）．「ＣＰＵ４０は賞球力ウンタ３８に賞球の設定数をセットし、賞球排出装置２７から排出されたパチンコ玉の数は賞球排出玉カウンタ６３で計数されてその計数値が賞球玉比較同路４７で賞球力ウンタ３８の設定値と比較される。賞球排出玉力ウンタ６３の計数値が賞球力ウンタ３８の値より多くなったときは賞球玉比較回路４７の出力信号により異常表示装置３４Ｂ及び発光・音響表示装置６５が作動すると同時にシャツタ２６が作動してパチンコ遊技を不可能にする。」（第２頁右下欄第４行〜第１３行）
　　　　
　　（Ｅ）．特開昭５８−２０３７８５号公報（以下、「刊行物Ｅ」という。異議申立人　細江裕実提出の甲第５号証）
　　　（Ｅ−１）．「パチンコ遊技台２０の上部には異常表示装置を兼ねた賞球表示装置３４と打止表示装置３５が設けられている。」（第２頁右上欄第６行〜第８行）
　　　（Ｅ−２）．「ＣＰＵ４０は賞球力ウンタ３８に賞球の設定数をセットし、賞球排出装置２７から排出されたパチンコ玉の数は賞球排出玉カウンタ６３で計数されてその計数値が賞球玉比較回路４７で賞球カウンタ３８の設定値と比較される。賞球排出玉力ウンタ６３の計数値が賞球力ウンタ３８の値より多くなったときは賞球玉比較同路４７の出力信号により異常表示装置３４Ｂ及び発光・音響表示装置６５が作動すると同時にシャツタ２６が作動してパチンコ遊技を不可能にする。」（第２頁右下欄第５行〜第１４行）
　　　
　　（Ｆ）．特開平２−２８０７８５号公報（以下、「刊行物Ｆ」という。異議申立人　細江裕実提出の甲第６号証）
　　　（Ｆ−１）．「第１図は、パチンコ遊技機の正面図であり、第２図は、パチンコ遊技機の背面概略図であり、第３図は、機構板を開放して遊技板を取り外した状態を示す背面斜視図である。図において、パチンコ遊技機１の外枠２には、額縁状の前面枠３が開閉自在に軸支され、該前面枠３には、扉保持枠４が周設され、該扉保持枠４には、ガラス板５ａ、５ｂ（第８図参照）を有するガラス扉枠５及び前面扉板６がー側を軸支されて開閉自在に取り付けられている。ガラス扉枠５の後方であって、前記前面枠３の裏面の遊技盤保持枠４２（第３図参照）には、遊技盤１２が取付部材４３ａ〜４３ｃ及び固定部材４４によって着脱自在に設けられている。」（第２頁右下欄第１６行〜第３頁左上欄第９行）
　　　（Ｆ−２）．「また、パチンコ遊技機１の背面には、機構板５ ３が開閉自在に取付けられている。この機構板５ ３は、前記遊技盤１２に設けられた入賞口からの入賞玉を処理して、その入賞玉に対応する所定個数の景品玉を排出するための各種の機構が設けられるものである。しかして、機構板５３には、前記したように機構板５３を閉じた状態で係止する固定部材５４ａ〜５４ｃによって前記遊技盤保持枠４２に固定支持されるようになっている。更に、機構板５３のほぼ中央には、窓間口５５が開設され、この窓開□５５の下方位置の仕切壁５６の前後に第１の入賞玉集合樋５７と第２の入賞玉集合樋５８が形成されている。」（第５頁左下欄第１４行〜右下欄第６行）
　　　（Ｆ−３）．「機構板５３ には、前記景品玉払出装置９０からの配線及び前記満タン検出器７９等の配線を中継する中継端子基板８３や、前記可変表示装置１５及び可変入賞球装置２０を制御する遊技装置制御回路や後述する景品玉払出装置９０を制御する払出装置制御回路を含む回路基板を収納する回路基板収納ケース１１０や、パチンコ遊技機１の電源を供給するためのターミナルボックス８４が取り付けられている。（第７頁左下欄第１行〜第９行）
　　　　
　　（Ｇ）．実願昭６１−６２８８８（実開昭６２−１７４５７５号）のマイクロフィルム（以下、「刊行物Ｇ」という。異議申立人　細江裕実提出の甲第８号証）
　　　（Ｇ−１）．「前記遊技盤５にはガイド穴３１が形成され、遊技盤５が取付枠２８に正確に取付けられるようになされている。」（第７頁第１９行〜第８頁第１行）
　　　（Ｇ−２）．「遊技盤５の裏面側には機構板３２が開閉自在迄取り付けられており、この機構板３２に景品玉貯留タンク３３、景品玉払出し装置３４、入賞玉の集合樋３５、及び誘導樋３６が設けられ、この誘導樋３６の途中に入賞玉処理器３７が設けられている。尚前面枠２は外枠８に対して回動自在に取付けられている。」（第８頁第２行〜第８行）
　　　
　　＜２＞．本件発明と引用発明との対比
　　　（１）．構成の対応関係
　　　　（i）．引用発明における「保持枠」は、本件発明における「前枠」に対応する。
　　　　（i）．引用発明における「裏メカ制御装置」は、本件発明における「枠制御基板」に対応する。
　　　　（iii）．引用発明における「役物制御装置」は、本件発明における「遊技盤制御基板」に対応する。
　　　　（iv）．引用発明における「排出センサ」は、本件発明における「賞球計数検出スイッチ」に対応する。
　　
　　　（２）．両者の一致点、相違点
　　　　一致点
前枠の裏面側に賞球払出装置を設け遊技盤を分離可能にしたパチンコ機において、
　前記遊技盤に設けられた入賞口への入賞検出に基づいて、枠制御基板に賞球数信号を送信する遊技盤制御基板、及び前記賞球数信号に基づいて前記賞球払出装置の制御を行なう枠制御基板と、前記賞球払出装置から払い出される賞球を計数する賞球計数検出スイッチを設け、パチンコ機の動作異常時にエラー状態であることを表示する表示部を設けたことを特徴とするパチンコ機。
　　　
　　　　相違点
　　　　（i）．前枠に関して、本件発明は「外枠に蝶着」しているのに対し、引用発明では当該前枠に対応する「保持枠」の取り付け箇所については記載されていない点。
　　　　（ii）．エラー状態表示部に関して、
　　　　　（ａ）エラー表示を行なう場合に本件発明では「賞球数信号と賞球計数検出スイッチのカウントが一致しない」場合、または「遊技制御基板との接続がされていない」場合であるのに対し、引用発明では「センサ」、「役物」、「電源投入時チェック」のエラーである点、
　　　　　（ｂ）表示手段として、本件発明では「ＬＥＤ表示」であるのに対し、引用発明では具体的表示手段は記載されていない点、
　　　　　（ｃ）．当該表示部の配設箇所として、本件発明では「枠制御基板」であるのに対し、引用発明においては枠制御基板に対応する「裏機構盤」との記載は認められない点。
　　
　　　
　　　（３）．相違点の検討
　　　　（i）．相違点（i）について、
　　　　　遊技盤を分離可能に支持する枠が外枠に蝶着される構成は、刊行物Ｆ、刊行物Ｇに見られるようにパチンコ機においては周知の事項であるから、当該構成を採用することは単なる設計的事項である。
　したがって、当該相違点は単なる設計的事項である。
　　　　（ii）．相違点（ii）（ａ），（ｃ）について、
　　　　　賞球排出数と賞球設定値とが不一致の場合に異常状態表示することは刊行物Ｄ、刊行物Ｅに示され、さらに、断線、ショート等の接続不良の場合も異常状態表示することは刊行物Ｃに示されている。
　してみると、引用発明に示されるエラーとして、刊行物Ｄ、刊行物Ｅに示されるような、賞球排出数と賞球設定値との不一致エラー表示手段を採用することは、当業者が必要に応じて為しえる程度の事項であり、その採用に際して生じる表示手段の配設箇所として、刊行物Ｂに示されるようにパチンコ機の裏面に全体の動作を制御するマイクロコンピュータと共に配設すること、すなわち、枠制御基板に配設することは、表示内容、表示を示す対象者等に応じて当業者が適宜為し得る程度の事項である。
　したがって、当該相違点は格別のものではない。
　　　　（iii）．相違点（ii）（ｂ）について、
　　　　　表示手段としてのＬＥＤは周知の事項であるから表示手段としてＬＥＤを採用することは単なる設計的事項である。
　したがって、当該相違点は格別のものではない。
　　　
　　
第四．むすび
　以上のとおり、本件発明は、前記刊行物、Ａ〜Ｇに記載された発明、及び周知事項に基づいて当業者が容易に発明をすることができたものであるから、本件特許は拒絶の査定をしなければならない特許出願に対してされたものと認められる。
　したがって、本件発明についての特許は、特許法第１１３条第１項２号に該当し、取り消されるべきものである。
　よって結論のとおり決定する。
【異議決定日】
平成１６年３月３日（２００４．３．３）